(57)【要約】      （修正有）【課題】ロールを取り外すことなく、かつ塗液パンを交換することなく、塗液及び洗浄液兼用の液パン内でロール及び液パンの洗浄を可能にした塗布装置を提供する。【解決手段】洗浄時に液パン２内に充填された洗浄液４ａを液供給手段により循環させるとともに、液パン２に設けられた超音波振動子３ａ，３ｂで超音波振動が与えられた洗浄液４ａにより、回転しているグラビアロール５及び液パン２を洗浄する。さらに、液供給手段からドクターと交換可能な洗浄ブラシ７を通してグラビアロール５に向け供給される洗浄液４ａに洗浄ブラシ７内蔵の超音波振動子により超音波振動を与え、この洗浄液と洗浄ブラシ７でグラビアロール５を洗浄するようにした。【選択図】図２
2010240530.tif 000002
【特許請求の範囲】
【請求項１】
塗布時は塗液を貯溜し洗浄時は洗浄液を貯溜する液パンと、
塗布時は前記液パンに塗液を供給し洗浄時は前記液パンに洗浄液を供給する液供給手段と、
軸心を水平方向に向けて配設され前記液パンの内部に下方を向いた面が収容されて塗布時に前記液パン内の塗液を付着させて基材に転写する回転可能なロールと、
前記ロールに付着した余分な塗液を掻き落とすドクターと、
前記液パンの底部に設けられ、洗浄時に前記液パンに前記液供給手段で供給された洗浄液に超音波振動を与えて前記液パン及び前記ロールを洗浄する超音波振動子と、
を備えることを特徴とする塗布装置。
【請求項２】
前記ドクターが交換可能に設置される台座と、
洗浄時に前記ドクターに代えて前記台座に交換可能に設置され前記ロールを洗浄する回転可能な洗浄ブラシとを備え、
洗浄時は前記洗浄ブラシに前記液供給手段から洗浄液が供給できるように構成されている、
ことを特徴とする請求項１記載の塗布装置。
【請求項３】
前記洗浄ブラシは前記ロールの全長に亘り延在する長さを有し、
前記洗浄ブラシは、その回転中心に設けられ支持軸を兼ねた洗浄液導管と、前記洗浄液導管の半径方向外側に設けられ前記洗浄液導管で支持された筒状のブラシ保持筒と、前記ブラシ保持筒に設けられたブラシ部とを有し、
前記洗浄液導管の両端部は前記台座に着脱可能に設置される支持部材に回転可能に支持され、
前記洗浄液導管は該洗浄液導管に前記支持部材の内部に設けた流路を通して前記液供給手段から洗浄液が供給されるように構成され、
前記洗浄液導管に導入された洗浄液を前記ブラシ部と前記ロールとの接触面に向けて流出する複数の洗浄液流出管が前記洗浄液導管の全長に亘り放射方向に延在して設けられ、
前記ブラシ保持筒の内部には前記複数の洗浄液流出管内を流れる洗浄液に超音波振動を与える超音波振動子が設けられている、
ことを特徴とする請求項２記載の塗布装置。
【請求項４】
前記液パンは、該液パンの底面に連通するように設けられた液供給口と前記液パン内の貯溜液面の近傍箇所に設けられた液排出口を有し、
前記液供給手段は、塗布時に前記液供給口及び前記液排出口を通して前記液パン内の塗液を循環できるように構成され、かつ洗浄時に前記液供給口及び前記液排出口を通して前記液パン内の洗浄液を循環できるように構成されている、
ことを特徴とする請求項１乃至３の何れか１項記載の塗布装置。
【請求項５】
前記液供給手段は、前記液パン内の塗液または洗浄液を循環できるように、
塗布時に塗液が投入され洗浄時に洗浄液が投入される液タンクと、
前記液タンクと前記液供給口との間の液流通経路に介在され前記液タンク内の塗液または洗浄液を前記液パン及び前記洗浄ブラシに送り込む液送給ポンプと、
前記液タンクと前記液排出口との間の液流通経路に介在され前記液パンの前記液排出口から溢流する塗液または洗浄液を前記液タンクへ送出する液送出ポンプと、
前記液送給ポンプの液吐出側の前記液流通経路に介在されたフィルターと、
を含んで構成されていることを特徴とする請求項４記載の塗布装置。
【請求項６】
前記液供給手段は、前記使用後の塗液及び汚れた洗浄液が貯留される廃液タンクを備えることを特徴とする請求項１乃至５の何れか１項記載の塗布装置。
【発明の詳細な説明】
【技術分野】
【０００１】
本発明は、グラビアコーターなどのロールを使用する塗布装置に関し、さらに詳しくはロールを設置したまま、ロールと塗液及び洗浄液兼用の液パンの洗浄を行うことが可能な塗布装置に関するものである。
【背景技術】
【０００２】
従来から、連続走行している帯状の基材に塗液を塗布する方法として、特にロールを用いるアプリケーターには、ロールコーター、グラビアコーター、マイクログラビア、バーコーターなどが用いられている。
このようなコーターは、塗液パンからロールで塗液を汲み上げて基材に転写させる方式であるが、使用時間の経過とともにロール表面の彫刻やワイヤーの隙間に塗液の残留物などの汚れが溜まると、塗布ムラやスジ等の欠陥を発生させるおそれがある。そこで、一定時間使用した後には洗浄する必要がある。ロールの洗浄にはロールを塗工部から移動させ、塗布に使用した希釈液と同じ液を洗浄液として、作業者が刷毛やブラシを用いて手で行うのが普通である。
【０００３】
しかしながら、作業者が手で行う上記のようなロールの洗浄方法では、一度、ロールを塗工部から移動させる必要があり、また、彫刻の隙間を上手に均一に洗浄することは難しく、さらにワイヤーバーのようならせん状に巻いたワイヤーの隙間の洗浄はより厳しくなる。そのため、洗浄ムラが生じ、塗布ムラやスジ等が発生しやすく、またブラシ等で洗浄するために洗浄液が飛散して作業環境が悪くなり、安全衛生上でも問題となる。
【０００４】
そこで、上記問題の解決方法としては、塗液用の塗液パンと超音波発信器を備えた洗浄液パンを交換できる昇降機構を設けた塗布装置において、洗浄時に塗液パンを洗浄液パンと交換し、この洗浄液パンを使用してロールを超音波洗浄し、かつ洗浄ブラシを設けることで、ロール自体のブラッシングも可能にした塗布装置が提案されている（特許文献１参照）。
【先行技術文献】
【特許文献】
【０００５】
【特許文献１】特開２００３−１９４５３
【発明の概要】
【発明が解決しようとする課題】
【０００６】
しかしながら、上記洗浄方法や装置では塗液パンの他に、別途洗浄液パンおよび昇降機構が必要になり、またロール自体が回転しているため、一時的にしか超音波洗浄の効果が得られなく、さらに洗浄ブラシを使用しても均一に洗浄することが難しいという問題点がある。
【０００７】
本発明は、このような従来技術の問題点を解決するためになされたもので、ロールを取り外すことなく、かつ塗液パンを交換することなく、塗液及び洗浄液兼用の液パン内でロール及び液パンの洗浄を可能にした塗布装置を提供することを目的とする。
【課題を解決するための手段】
【０００８】
上記目的を達成するために本発明の塗布装置は、塗布時は塗液を貯溜し洗浄時は洗浄液を貯溜する液パンと、塗布時は前記液パンに塗液を供給し洗浄時は前記液パンに洗浄液を供給する液供給手段と、軸心を水平方向に向けて配設され前記液パンの内部に下方を向いた面が収容されて塗布時に前記液パン内の塗液を付着させて基材に転写する回転可能なロールと、前記ロールに付着した余分な塗液を掻き落とすドクターと、前記液パンの底部に設けられ、洗浄時に前記液パンに前記液供給手段で供給された洗浄液に超音波振動を与えて前記液パン及び前記ロールを洗浄する超音波振動子とを備えることを特徴とする。
【０００９】
請求項２の発明は、請求項１記載の塗布装置において、前記ドクターが交換可能に設置される台座と、洗浄時に前記ドクターに代えて前記台座に交換可能に設置され前記ロールを洗浄する回転可能な洗浄ブラシとを備え、洗浄時は前記洗浄ブラシに前記液供給手段から洗浄液が供給できるように構成されていることを特徴とする。
【００１０】
請求項３の発明は、請求項２記載の塗布装置において、前記洗浄ブラシは前記ロールの全長に亘り延在する長さを有し、前記洗浄ブラシは、その回転中心に設けられ支持軸を兼ねた洗浄液導管と、前記洗浄液導管の半径方向外側に設けられ前記洗浄液導管で支持された筒状のブラシ保持筒と、前記ブラシ保持筒に設けられたブラシ部とを有し、前記洗浄液導管の両端部は前記台座に着脱可能に設置される支持部材に回転可能に支持され、前記洗浄液導管は該洗浄液導管に前記支持部材の内部に設けた流路を通して前記液供給手段から洗浄液が供給されるように構成され、前記洗浄液導管に導入された洗浄液を前記ブラシ部と前記ロールとの接触面に向けて流出する複数の洗浄液流出管が前記洗浄液導管の全長に亘り放射方向に延在して設けられ、前記ブラシ保持筒の内部には前記複数の洗浄液流出管内を流れる洗浄液に超音波振動を与える超音波振動子が設けられていることを特徴とする。
【００１１】
請求項４の発明は、請求項１乃至３の何れか１項記載の塗布装置にいて、前記液パンは、該液パンの底面に連通するように設けられた液供給口と前記液パン内の貯溜液面の近傍箇所に設けられた液排出口を有し、前記液供給手段は、塗布時に前記液供給口及び前記液排出口を通して前記液パン内の塗液を循環できるように構成され、かつ洗浄時に前記液供給口及び前記液排出口を通して前記液パン内の洗浄液を循環できるように構成されていることを特徴とする。
【００１２】
請求項５の発明は、請求項４記載の塗布装置において、前記液供給手段は、前記液パン内の塗液または洗浄液を循環できるように、塗布時に塗液が投入され洗浄時に洗浄液が投入される液タンクと、前記液タンクと前記液供給口との間の液流通経路に介在され前記液タンク内の塗液または洗浄液を前記液パン及び前記洗浄ブラシに送り込む液送給ポンプと、前記液タンクと前記液排出口との間の液流通経路に介在され前記液パンの前記液排出口から溢流する塗液または洗浄液を前記液タンクへ送出する液送出ポンプと、前記液送給ポンプの液吐出側の前記液流通経路に介在されたフィルターとを含んで構成されていることを特徴とする
請求項６の発明は、請求項１乃至５の何れか１項記載の塗布装置において、前記液供給手段は、前記使用後の塗液及び汚れた洗浄液が貯留される廃液タンクを備えることを特徴とする。
【発明の効果】
【００１３】
本発明の塗布装置においては、洗浄時に液パン内に充填された洗浄液を液供給手段により循環させるとともに、液パンに設けられた超音波振動子で超音波振動が与えられた洗浄液により、回転しているグラビアロール及び液パンを洗浄する。さらに、液供給手段からドクターと交換可能な洗浄ブラシを通してグラビアロールに向け供給される洗浄液に洗浄ブラシ内蔵の超音波振動子により超音波振動を与え、この洗浄液と洗浄ブラシでグラビアロールを洗浄するようにした。
よって、本発明によれば、液パン内の付着物等の汚れだけでなく、ロール表面の彫刻やワイヤーの隙間の塗液の付着物も超音波洗浄およびブラシで洗浄することができる。
【図面の簡単な説明】
【００１４】
【図１】本発明にかかる洗浄機能付きの塗布装置の一実施の形態を示す概略平面図である。
【図２】図１のＡ−Ａ線に沿う概略断面図である。
【図３】本発明の塗布装置における塗布の一形態を示す概略断面図である。
【図４】（ａ）は本発明にかかる洗浄用洗浄ブラシの一形態を示す概略断面図であり、（ｂ）は本発明にかかる洗浄用洗浄ブラシの一部を切り欠いて示す概略平面図である。
【発明を実施するための形態】
【００１５】
次に、本発明にかかる塗布装置の一実施の形態について、図１乃至図４を参照して説明する。
本実施の形態に示す洗浄機能付きの塗布装置は、図１〜図４に示すように、液パン２、超音波発振動子３ａ、３ｂ、グラビアロール５、インプレッションロール６、洗浄ブラシ７、ドクター１０、塗液と洗浄液の供給及び循環を可能にした液供給手段などを含んで構成される。
【００１６】
液パン２は、洗浄液４ａ（または塗液４ｂ）を貯溜するためのもので、図１〜４に示すように、グラビアロール５の軸方向の長さより大きい長さと、グラビアロール５の直径より大きい幅を有する、上面が開放され底部が逆山型をなす長方形のトレイ形状を呈している。
液パン２の洗浄液４ａ（または塗液４ｂ）中には、軸心を水平方向に向けて回転するグラビアロール５の下方に向いた外周面が浸漬されている。
液パン２の底部中央には洗浄液４ａ（または塗液４ｂ）の液供給口２ａが形成され、液パン２内の貯溜液の液面の近傍箇所には洗浄液４ａ（または塗液４ｂ）の液排出口２ｂが形成されている。この液供給口２ａと液排出口２ｂは、後述する液供給手段に接続される。
また、塗液パン２の底部下面には、洗浄時に塗液パン２に液供給手段で供給された洗浄液４ａに超音波振動を与えて塗液パン２及びグラビアロール５を洗浄する複数の超音波振動子３ａ，３ｂが設けられている。
【００１７】
液供給手段は、洗浄時に液パン２及び洗浄ブラシ７に洗浄液４ａを供給し、塗布時には液パン２に塗液４ｂを供給するとともに、洗浄時に液供給口２ａ及び液排出口２ｂを通して液パン２内の洗浄液４ａを循環させ、かつ塗布時に液供給口２ａ及び液排出口２ｂを通して液パン２内の塗液４ｂを循環させるもので、洗浄液４ａ（または塗液４ｂ）が投入される液タンク１５、液送給ポンプ１７ａ、液送出ポンプ１７ｂ、フィルター１８、廃液タンク２１などから構成される。
上記液供給手段を構成する液タンク１５、液送給ポンプ１７ａ、液送出ポンプ１７ｂ、フィルター１８、廃液タンク２１等の接続関係は、以下のようになっている。
すなわち、液送給ポンプ１７ａの吸入側は液供給配管１６ａを介して液タンク１５に接続され、液送給ポンプ１７ａの吐出側はフィルター１８に接続され、フィルター１８の吐出側は液供給配管１６ａ、バルブ１９ａ及び液供給配管１６ｂを介して液パン２の液供給口２ａに接続されている。また、液送出ポンプ１７ｂの吸入側は液供給配管２０ａを介して液パン２の液排出口２ｂに接続され、液送出ポンプ１７ｂの吐出側はバルブ１９ｂ及び液供給配管２０ｃを介して液タンク１５に接続されている。更に、液送出ポンプ１７ｂの吐出側はバルブ１９ｂ及び液供給配管２０ｂを介して廃液タンク２１に接続されている。
【００１８】
洗浄ブラシ７は、グラビアロール５のリバース方向に回転されながら、超音波振動の付与された洗浄液をグラビアロール５に供給してグラビアロール５の外周面を洗浄するもので、液パン２の洗浄液の液面より上方に位置するグラビアロール５の外周面箇所に当接するようにしてグラビアロール５と平行に配置される。
また、洗浄ブラシ７は、図１及び図４（ａ）、（ｂ）に示すように、グラビアロール５の全長に亘り延在する長さを有し、さらに、洗浄ブラシ７の回転中心に設けられ支持軸を兼ねた洗浄液導管１１と、この洗浄液導管１１の半径方向外側に設けられ洗浄液導管１１で支持された筒状のブラシ保持筒２２と、このブラシ保持筒２２の外周に設けられたブラシ部１４とを有している。
【００１９】
洗浄液導管１１には、洗浄液導管１１の内部と連通するように接続された複数の洗浄液流出管１３が洗浄液導管１１を中心に一定の角度間隔で放射方向に延在して設けられ、さらに、この放射状に配列された洗浄液流出管１３は洗浄液流出管１３の長手方向に沿って一定の間隔に設けられている。
上記洗浄液流出管１３は、洗浄液導管１１に導入された洗浄液４ａをブラシ部１４とグラビアロール５との接触面に向けて流出させるもので、ブラシ部１４の支持ステーを兼ねている。したがって、ブラシ部１４はブラシ保持筒２２を介して複数の洗浄液流出管１３により洗浄液導管１１に固定される。また、ブラシ保持筒２２内には、複数の洗浄液流出管１３内を流れる洗浄液４ａに超音波振動を与える超音波振動子１２が設けられている。
【００２０】
このように構成された洗浄ブラシ７の支持軸兼用洗浄液導管１１の両端部は、支持部材８に回転可能に支持されている。そして、この洗浄ブラシ７は、液パン２の側方に並設された台座９上に支持部材８を介して交換可能に設置される。
支持部材８の内部には、図４（ａ）に示すように、支持部材８の中間部に設けられた供給口８ａから洗浄液導管１１の軸支両端に達する流路８ｂが形成され、この流路８ｂと洗浄液導管１１の軸支両端部との間は、洗浄液導管１１内に流路８ｂを通して洗浄液４ａが供給できるようにスライドカップリング８ｃを介して水密に連結されている。また、支持部材８の供給口８ａは、図１に示すように、液供給手段を構成するバルブ１９ｂに液供給配管２０ｂを介して接続されている。これにより、洗浄液４ａを液供給手段から洗浄ブラシ７に供給できるようになっている。
なお、塗布装置の塗布動作時は、図３に示すように、台座９上には洗浄ブラシ７に代えてドクター１０が交換可能に設置され、このドクター１０によりグラビアロール５に余分に付着した塗液を掻き落とすようになっている。
【００２１】
次に、本実施の形態に示す塗布装置の動作について説明する。
液パン２及びグラビアロール５の洗浄に際しては、図１及び図２に示すように、台座９上に洗浄ブラシ７を設置する。そして、洗浄液４ａを液タンク１５内に投入した後、液送給ポンプ１７ａを起動することで液タンク１５内の洗浄液４ａは液供給配管１６ａ、フィルター１８を通過し、バルブ１９ａにより、その一部が液供給配管１６ｂを通り、液パン２内へ供給され、残りの洗浄液は液供給配管１６ｃを通り、支持部材８の流路８ｂ、洗浄液導管１１及び洗浄液流出管１３を通してブラシ部１４へと供給され、ブラシ部１４隙間を通してグラビアロール５へと流出される。液パン２に一定量の洗浄液４ａが供給された後、液パン２の液排出口２ｂから溢流する洗浄液４ａは液送出ポンプ１７ｂより吸引され、液パン２から液排出配管２０ａ、バルブ１９ｂを通り、その一部は液排出配管２０ｂを通り廃液タンク２１へ排出され、残りの洗浄液は液排出配管２０ｃから液タンク１５へ戻される。また、洗浄液４ａが液循環機構付きの液供給手段で循環されることに伴い汚れた洗浄液４ａは、バルブ１９ｂより液排出配管２０ｂへと経路を変更することで、廃液タンク２１へ排出される。
【００２２】
ここで、液パン２及びグラビアロール５の洗浄時においては、図２に示すように、下方に向けたグラビアロール５の外周面が液パン２内の洗浄液４ａ中に浸漬されており、インプレッションロール６と基材１は、洗浄液４ａの飛散により汚れないようにするため上方へ移動させておく。
液供給配管１６ｂを通過した洗浄液４ａは、液パン２内を満たされていく。そして、液パン２内が洗浄液４ａで一定量満たされた後に、超音波振動子３ａ、３ｂにより、洗浄液４ａに超音波振動が与えられ、洗浄液４ａにキャビテーションを発生させ、リバース回転しているグラビアロール５を洗浄し、同時に液パン２内を洗浄する。そして、再び洗浄液４ａは液供給配管１６ａから液パン２へ供給され、かつ循環され、グラビアロール５及び液パン２の洗浄を行うことができる。加えて、液供給手段による洗浄液４ａの循環に伴い汚れた洗浄液４ａは、バルブ１９ｂより液排出配管２０ｂへと経路を変更することで、廃液タンク２１へ送られる。
一方、液供給配管１６ｃを通過した洗浄液４ａは、支持部材８の流路８ｂ、洗浄液導管１１及び洗浄液流出管１３を通過し、回転している洗浄ブラシ７へ供給され、グラビアロール５を洗浄する。ここで、洗浄液流出管１３を通過する洗浄液４ａには超音波振動子１２によって超音波振動が与えられ、超音波振動する洗浄液４ａがグラビアロール５に供給されることになる。
【００２３】
次に、本実施の形態に示す塗布装置の塗布動作について説明する。
この場合は、図３に示すように、台座９上に洗浄ブラシ７に代えてドクター１０を設置する。そして、塗液４ｂを液タンク１５内に投入した後、液送給ポンプ１７ａを起動することで液タンク１５内の塗液４ｂは液供給配管１６ａ、フィルター１８を通過し、バルブ１９ａにより液供給配管１６ｂを通り、液パン２内へ供給される。液パン２に一定量の塗液４ｂが供給された後、液パン２の液排出口２ｂから溢流する塗液４ｂは液送出ポンプ１７ｂより吸引され、液パン２から液排出配管２０ａ、バルブ１９ｂを通り、液排出配管２０ｃから液タンク１５へ戻される。
ここで、塗布動作は、図３に示すように、下方に向けたグラビアロール５の外周面が液パン２内の塗液４ｂ中に浸漬されており、インプレッションロール６により帯状の基材１をグラビアロール５の外周面を押圧する。そして、グラビアロール５の外周面に余分に付着した塗液４ｂはドクター１０により掻き落とされる。また、液パン２内の塗液４ｂの循環は液供給手段によりされる。
なお、インプレッションロール６は図示省略した支持ブランケットにより回転可能に支持されている。
【００２４】
このような本実施の形態によれば、洗浄時に液パン２内に充填された洗浄液４ａを液供給手段により循環させるとともに、液パン２に設けられた超音波振動子３ａ，３ｂで超音波振動が与えられた洗浄液４ａにより、回転しているグラビアロール５及び液パン２を洗浄し、さらに、液供給手段からドクター１０と交換可能な洗浄ブラシ７を通してグラビアロール５に向け供給される洗浄液４ａに洗浄ブラシ７内蔵の超音波振動子１２により超音波振動を与え、この洗浄液４ａと洗浄ブラシ７でグラビアロール５を洗浄するようにしたので、液パン２内の付着物等の汚れだけでなく、グラビアロール表面の彫刻やワイヤーの隙間の塗液の付着物も超音波洗浄およびブラシで洗浄することができる。
【００２５】
本実施の形態に用いられる超音波振動子３ａ，３ｂ及び１２は、大きく分けて単結晶（水晶やニオブ酸リチウム等）、磁気（チタン酸バリウムやＰＺＴ等）、高分子材料（ポリフッ化ビニデンフィルム）に分類でき、ここで用いる超音波振動子は圧電振動子型であり、その圧電材料の種類には、圧電セラミックス（ＢａＴｉＯ３、ＰＺＴ，ＰｂＴｉＯ３）、圧電薄膜（ＺｎＯ）、圧電高分子膜等を用いたものを使用する。
また、本実施の形態におけるブラシ部１４においては、材質は真鍮やステンレスなどの金属線タイプ、テフロン（登録商標）、ポリプロピレンなどの化学線タイプ、導電性タイプなどがあるが、これに限定されるものではなく、使用するグラビアロールに対して最適な材質を選ぶことは可能である。
【００２６】
本発明の塗布装置に用いる塗液としては特に粒子を含む塗液が挙げられる。粒子としては、光拡散粒子、顔料等が挙げられる。粒子を含む塗液にあっては、塗布を行った際にグラビアロールの凹部に粒子が付着しやすい。これらグラビアロールに付着した粒子は強固にグラビアロールと付着しており、物理的に掻きだす必要がある。
本発明の洗浄ブラシを用いることにより、グラビアロールに付着した粒子を容易に掻きだすことができる。また、本発明の洗浄液としては塗液に含まれる溶媒を用いることが好ましいが、これに限定されるものではない。
【００２７】
次に、本発明の実施例について説明する。
（実施例１）
本実施例において、顔料およびバインダー、有機溶媒を含む塗液４ｂを使用し、塗布時の経路を使用し、リバースグラビア方式による塗布を行った。その後、使用された塗液４ｂは、バルブ１９ｂでの経路により廃液タンク２１へ排出される。そして、洗浄液４ａを塗液タンク１５に投入し、液給送ポンプ１７ａを動作させることで液供給配管１６ａ、１６ｂ、１６ｃ、フィルター１８、バルブ１９ａへと送液させ、配管内等を洗浄するとともに、液パン２及び支持部材８、洗浄ブラシ７、さらに液送出ポンプ１７ｂを動作させることで、後経路である液排出配管２０ａ、２０ｃ、バルブ１９ｂを洗浄しながら、塗液タンク１５へ戻される。このとき、塗パン２と洗浄ブラシ７の超音波振動子３ａ、３ｂ、１２を動作させたままで、加えてグラビアロール５及び洗浄ブラシ７は回転させたままで、かつ洗浄ブラシ７及びグラビアロール５をリバース方向へ回転させることで、塗液循環経路だけでなく、液パン２及びグラビアロール５の洗浄が可能となる。
【産業上の利用可能性】
【００２８】
本実施の形態によれば、連続走行している帯状の基材に塗液を塗布する方法、たとえばロールコーター、グラビアコーター、マイクログラビア等のアプリケーターについて、適応することが可能な塗布および洗浄装置である。
【符号の説明】
【００２９】
１……基材、２……液パン、２ａ……液供給口、２ｂ……液排出口、３ａ、３ｂ……超音波振動子、４ａ……洗浄液、４ｂ……塗液、５……グラビアロール、６……インプレッションロール、７……洗浄ブラシ、８……支持部材、８ａ……供給口、８ｂ……流路、８ｃ……スライドカップリング、９……台座、１０……ドクター、１１……洗浄液導管、１２……超音波振動子、１３……洗浄液流出管、１４……ブラシ部、１５……液タンク、１６ａ，１６ｂ，１６ｃ……液供給配管、１７ａ……液送給ポンプ、１７ｂ……液送出ポンプ、１８……フィルター、１９ａ，１９ｂ，１９ｃ……バルブ、２０ａ，２０ｂ，２０ｃ……液排出配管、２１……廃液タンク、２２……ブラシ保持筒。
【図１】
2010240530.tif 000003
【図２】
2010240530.tif 000004
【図３】
2010240530.tif 000005
【図４】
2010240530.tif 000006